(57)【要約】【解決手段】本発明のリップクリームは、リップクリーム基材と、該基材１００重量部に対して５〜２００重量部の粘接着剤とを含有することを特徴としている。【効果】本発明によれば、唇を閉じた状態を維持し鼻呼吸を促進しうるリップクリームを提供することができる。本発明のリップクリームは、適度な粘着性を有しており、就寝時や外出時に唇に塗布すれば唇を閉じた状態を維持し易く、鼻からの呼吸が主流になり、口腔内から気管にかけての粘膜の乾燥を防止することができる。【選択図】  なし【特許請求の範囲】
【請求項１】
リップクリーム基材と、該基材１００重量部に対して５〜２００重量部の粘接着剤とを含有することを特徴とするリップクリーム。
【請求項２】
上記リップクリーム基材が、ワックス類、油脂類、またはこれらの誘導体のいずれか１種以上を含有することを特徴とする請求項１に記載のリップクリーム。
【請求項３】
上記粘接着剤が、アクリル樹脂系粘接着剤、ポリビニルアルコール樹脂系粘接着剤、セルロース系粘接着剤およびデンプン系粘接着剤よりなる群から選ばれる少なくとも一種類の粘接着剤を含有することを特徴とする請求項1または２に記載のリップクリーム。
【発明の詳細な説明】
【０００１】
【発明の属する技術分野】
本発明は、リップクリームに関する。より詳しくは、鼻呼吸を促進するために用いられるリップクリームに関する。
【０００２】
【発明の技術的背景】
近年、花粉症やアトピー性皮膚炎などのアレルギー性疾患患者数が増加している。これらの原因として、アレルゲンとなる花粉量の増加や排気ガスなどの環境問題、住居や生活様式の変化などが取り上げられるが、患者自身の免疫力が低下していることも考えられる。免疫力が低下すると、上記アレルギー性疾患のほか、いわゆる免疫病といわれるようなもの、たとえば、白血病、悪性リンパ腫、リウマチ、再生不良性貧血、ぜんそくなどにかかり易くなったり、生活習慣病といわれる糖尿病や、高血圧などを引き起こし易くなったりすると言われている。
【０００３】
このような免疫力の低下を招く原因のひとつとして、口から呼吸をする口呼吸が疑われており、その弊害が最近の研究で明らかになってきている。
通常、鼻から呼吸をすると、吸い込んだ空気が鼻腔を通じて肺に達するまでの間に、比較的大きな異物は除去され、細菌やウィルスなどの進入もある程度は防止される。また、呼吸によって鼻から吸い込まれた空気は、鼻腔の入り口から喉頭を通過するまでの間に加湿される。
【０００４】
ところが、口から呼吸をすると、そのようなフィルター機能や加湿機能がないため、空気中に存在する異物が直接体内に進入する上、口内および喉を乾燥させ、扁桃リンパ組織に損傷を与えてしまう。このように扁桃リンパ組織が損傷することにより、免疫力が低下して前記のような疾患にかかり易くなると考えられている。
【０００５】
また、睡眠時の口呼吸は、睡眠時無呼吸症との深い関連性が指摘されており、これを防止するため、CPAP（Continuous Positive Airway Pressure）とよばれる送気装置と連結した鼻マスクによって鼻から空気を圧入する治療法などが一般に行われている。
このような状況のなかで、口呼吸から鼻呼吸に変えることが提唱されているが、呼吸は無意識に行われるため、一旦習慣化してしまった場合には意識的に矯正しようとしても困難であり、特に睡眠時にはその傾向は顕著である。たとえば、上記のCPAPを装着した場合でも、口呼吸をする癖がついてしまっているため、鼻から圧入した空気が、無意識に開いた口から漏れてしまい、その効果を低下させることがあった。
【０００６】
従来、睡眠時の口呼吸を防止し、鼻呼吸を促進する手段としてマスクを掛けたり、バンソウコウなどのテープを唇に貼ったりすることが知られているが、これらは睡眠時に無意識に外してしまうことがあり、また一旦外してしまうとその効果はそこで尽きてしまうという問題があった。
本発明者らは、上記の状況に鑑みて鋭意検討した結果、リップクリーム基材１００重量部に対して５〜２００重量部の量の粘接着剤を配合することによって、睡眠時の口呼吸を防止し、鼻呼吸を促進しうるリップクリームを得ることができることを見出し、本発明を完成するに至った。
【０００７】
【発明の目的】
本発明は、粘着性を有するリップクリームを提供することを目的としている。より詳しくは、唇を閉じた状態を維持し鼻呼吸を促進しうるリップクリームを提供することを目的としている。
【０００８】
【発明の概要】
本発明のリップクリームは、リップクリーム基材と、該基材１００重量部に対して５〜２００重量部の粘接着剤とを含有することを特徴としている。
本発明のリップクリームにおいては、リップクリーム基材が、ワックス類、油脂類、またはこれらの誘導体のいずれか１種以上を含有するものであることが好ましい。
【０００９】
また、本発明のリップクリームを構成する粘接着剤は、アクリル樹脂系粘接着剤、ポリビニルアルコール樹脂系粘接着剤、セルロース系粘接着剤およびデンプン系粘接着剤よりなる群から選ばれる少なくとも一種類の粘接着剤を含有する粘接着剤であることが好ましい。
本発明のリップクリームは、適度な粘着性を有しており、この粘着性は、塗布後少なくとも１２時間程度は持続するので、就寝時に唇に塗布すれば睡眠中、唇を閉じた状態を維持し易い。従って、睡眠中に口からの呼吸は少なくなり、鼻からの呼吸が主流になり、口腔内から気管にかけての粘膜の乾燥を防止することができ、扁桃リンパ組織、咽頭蓋、声帯などの乾燥による損傷を防止することができる。
【００１０】
また、就寝時に限らず、外出時などに使用することによって、口呼吸を抑制し、口腔内から気管にかけての粘膜における乾燥を低減することもできる。
なお、本発明のリップクリームによれば、睡眠時無呼吸症の治療に使用されるCPAP（Continuous Positive Airway Pressure）によって鼻から圧入された空気が口から抜けるのを防止することができるので、軟口蓋と咽頭後壁との間に生ずる狭窄部、および、舌根部が落ち込むことによって生ずる狭窄部を圧入空気によって広げるというCPAPの治療効果がより効果的に現れる。
【００１１】
【発明の具体的な説明】
次に本発明にかかるリップクリームについて具体的に説明する。
本発明にかかるリップクリームは、リップクリーム基材と、粘接着剤とを含有している。
本発明にかかるリップクリームの基材としては、ワックス類、油脂類、これらの誘導体のいずれか１種以上の油剤を使用することができる。
【００１２】
本発明で基材として使用されるワックス類の例としては、具体的には、カルナウバロウ、キャンデリラロウ、ミツロウ、オゾケライト、マイクロクリスタルワックス、コメヌカロウ、セラックなどを挙げることができる。
また、本発明で基材として使用される油脂類の例としては、具体的には、ひまし油、アボガド油、アーモンド油、オリーブ油、ゴマ油、コメヌカ油、サフラワー油、大豆油、トウモロコシ油、ナタネ油、杏仁油、ハーム核油、パーム油、ヒマワリ油、グレープシード油、綿実油、ヤシ油、ミンク油、落花生油、ツバキ油、サザンカ油、カカオ脂、小麦胚芽油、ローズヒップ油、月見草油、ククイ油、マカデミヤナッツ油、ホホバ油、ラノリン、馬油、牛脂、豚脂、卵黄脂肪油などの動植物油、流動パラフィンのような鉱物油などを挙げることができる。
【００１３】
また、本発明で基材として使用される、ワックス類の誘導体または油脂類の誘導体の例としては、具体的には、ヘキサデシルアルコール、オレイルアルコール、リノレイルアルコールなどの炭素数６〜２１程度の液状高級アルコール、イソプロピルパルミテート、リノール酸セチル、ミリスチン酸イソセチル、イソステアリン酸イソステアリルなどの合成あるいは天然エステルを挙げることができる。
【００１４】
上記ワックス類、油脂類、これらの誘導体は、単独であっても、２種以上を組み合わせて使用してもよく、基材中におけるその配合量は、本発明にかかるリップクリームの形状、使用の形態、他の成分との関係によって生ずる硬度などを考慮して適宜設定することができる。
たとえば、スティック状のリップクリームとする場合には、リップクリーム基材１００重量％中におけるワックス類の量は、通常は１０〜４０重量％、好ましくは１５〜３５重量％、特に好ましくは２０〜３０重量％であり、
リップクリーム基材１００重量％中における油脂類の量は、通常は３５〜６５重量％、好ましくは４０〜６０重量％、特に好ましくは４５〜５５重量％であり、
リップクリーム基材１００重量％中におけるワックス類の誘導体または油脂類の誘導体の量は、通常は１０〜４０重量％、好ましくは１５〜３５重量％、特に好ましくは２０〜３０重量％である。
【００１５】
このように本発明にかかるリップクリームの基材、特に油剤として、上記ワックス類、油脂類、これらの誘導体を使用することにより、唇に塗布した際に唇の乾燥を防ぎ、潤いを与えることができる。
本発明にかかるリップクリームには、前記リップクリーム基材のほかに粘接着剤が配合されている。
【００１６】
本発明のリップクリームは、就寝前に唇に塗布して起床までの間、唇に粘接着力を付与しつづける程度の粘接着力を必要とするものであり、この粘接着力は、通常の物の接着に使用される粘接着力とは全く異なるものである。すなわち、通常の接着剤のように物を固定するような強い粘接着力は必要でなく、また物を固定するときのように短時間で粘接着力が減失したのでは意味がない。ただし、通常は、起床後には拭き取られるか洗い流されるので、その粘接着力は１２時間程度維持されていればよい。このように適度な粘接着力が１２時間程度維持されると、たとえ睡眠時に口を開けてしまったとしても、口を閉じた際に再度唇に粘接着力を付与することができ、口を閉じた状態を維持し易い。
【００１７】
本発明にかかるリップクリームにこのような粘接着力を付与する粘接着剤としては、アクリル樹脂系粘接着剤、ポリビニルアルコール樹脂系粘接着剤、セルロース系粘接着剤およびデンプン系粘接着剤よりなる群から選ばれる少なくとも一種類の粘接着剤を使用することができる。
これらの粘接着剤は、単独であるいは組み合わせて使用することができる。特に本発明では、これらのうち、アクリル樹脂系粘接着剤を使用することが好ましい。
【００１８】
具体的に、本発明で好適に使用されるアクリル樹脂系粘接着剤の例としては、(メタ)アクリル酸アルキルエステルと、この(メタ)アクリル酸アルキルエステルと共重合可能な極性基含有単量体との共重合体を挙げることができる。
ここで使用される(メタ)アクリル酸アルキルエステルの例としては、(メタ)アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸−２−エチルヘキシル、（メタ）アクリル酸オクチル、（メタ）アクリル酸ノニル、（メタ）アクリル酸デシル、（メタ）アクリル酸ドデシルのような（メタ）アクリル酸アルキルエステル；シクロヘキシル（メタ）アクリレートのような（メタ）アクリル酸と脂環族アルコールとのエステル；（メタ）アクリル酸フェニル、（メタ）アクリル酸ベンジルのような（メタ）アクリル酸アリールエステルを挙げることができる。このような（メタ）アクリル酸エステルは単独であるいは２種以上を組み合わせて使用することができる。
【００１９】
また、上記(メタ)アクリル酸アルキルエステルと共重合可能な極性基含有単量体の例としては、（メタ）アクリル酸；（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピルなどの（メタ）アクリル酸アルコキシアルキル；（メタ）アクリル酸アルカリ金属塩などの塩；エチレングリコールのジ（メタ）アクリル酸エステル、ジエチレングリコールのジ（メタ）アクリル酸エステル、トリエチレングリコールのジ（メタ）アクリル酸エステル、ポリエチレングリコールのジ（メタ）アクリル酸エステル、プロピレングリコールのジ（メタ）アクリル酸エステル、ジプロピレングリコールのジ（メタ）アクリル酸エステル、トリプロピレングリコールのジ（メタ）アクリル酸エステルなどの（ポリ）アルキレングリコールのジ（メタ）アクリル酸エステル；トリメチロールプロパントリ（メタ）アクリル酸エステルなどの多価（メタ）アクリル酸エステル；（メタ）アクリロニトリル；酢酸ビニル；塩化ビニリデン；（メタ）アクリル酸-2-ヒドロキシエチル、アクリル酸-2-ヒドロキシプロピル、（メタ）アクリル酸とポリプロピレングリコールまたはポリエチレングリコールとのモノエステル、ラクトン類と（メタ）アクリル酸-2-ヒドロキシエチルとの付加物などのヒドロキシル基含有ビニル化合物；イタコン酸、クロトン酸、マレイン酸、フマル酸のような不飽和カルボン酸およびこれらの塩並びにこれらの（部分）エステル化合物および酸無水物を挙げることができる。このような単量体は、単独であるいは２種以上を組み合わせて、上記（メタ）アクリル酸エステルと共重合させることができる。
【００２０】
特に本発明では、(メタ)アクリル酸アルキルエステルと、(メタ)アクリル酸、水酸基含有（メタ）アクリル酸エステルとの共重合体が皮膚に対する刺激性も低く、好適に使用できる。
前記粘接着剤は、リップクリーム基材１００重量部に対して、通常５〜２００重量部、好ましくは１０〜１００重量部、より好ましくは１５〜６０重量部の量で配合することが望ましい。
【００２１】
このような量で、前記粘接着剤を配合することにより、リップクリームに粘着性を付与するとともに、唇に塗布した際に唇表面に被膜を形成し、保湿効果を高めるとともに唇につやを与えることができる。
さらに本発明にかかるリップクリームには、必要に応じて、上記アクリル樹脂系粘接着剤と共に、クマロン・インデン樹脂、テルペン樹脂、テルペン・フェノール樹脂、ロジン、水添ロジン、ローカストビンガム、タラカントガム、ゼラチン、グアーガム、アラビアゴム、変性アルキルフェノールホルムアルデヒド樹脂、キシレン・ホルムアルデヒド樹脂、石油樹脂、水素添加炭化水素樹脂、テルペン系樹脂、天然ゴム（例；タッキロール（Ｒ）、ヒタノール（Ｒ）など）、ペクチン、寒天、デキストランなどの粘着剤を配合することができる。
【００２２】
前記粘着剤は、リップクリーム基材１００重量部に対して、通常０．１〜５０重量部、好ましくは１〜３０重量部の量で配合することができる。
また、本発明にかかるリップクリームには、本発明の目的を損なわない範囲内において、公知の酸化防止剤、防腐剤、香料および色材などを適宜配合してもよい。
【００２３】
本発明にかかるリップクリームは、具体的には、たとえば、上記リップクリーム基材を加熱融解して、均一に混合し、該リップクリーム基材に所定量の上記粘接着剤などを加え、ロールミルなどで混練することによって製造することができる。
【００２４】
【発明の効果】
本発明によれば、唇を閉じた状態を維持し鼻呼吸を促進しうるリップクリームを提供することができる。本発明のリップクリームは、適度な粘着性を有しており、就寝時や外出時に唇に塗布すれば唇を閉じた状態を維持し易く、鼻からの呼吸が主流になり、口腔内から気管にかけての粘膜の乾燥を防止することができる。
【００２５】
さらに、本発明によれば、睡眠時無呼吸症の治療に使用されるCPAPによって鼻から圧入された空気が口から抜けるのを防止することができるので、軟口蓋と咽頭後壁との間に生ずる狭窄部、さらには舌根部が落ち込むことによって生ずる狭窄部を圧入空気で広げるというCPAPの治療効果がより効果的に現れる。
【００２６】
【実施例】
以下、実施例に基づいて本発明をさらに具体的に説明するが、本発明はこれらの実施例に限定されるものではない。
下記のリップクリーム基材を真空釜に入れ、９０℃に加熱し、３０分間６０rpmで撹拌混合した。
【００２７】
次に、この真空釜内に下記の粘接着剤を加え、ロールミルで３０分間混練することによって、本発明にかかるリップクリームを得た。
粘接着剤
アクリル樹脂系粘接着剤（ダイゾール5000ＡＤ、大東化成）  １５．０重量％
リップクリーム基材
＜ワックス類＞
ミツロウ（超精製ミツロウ、クローダージャパン）          ５．０重量％
オゾケライト（オゾケライト、伊那貿易）                  ４．０重量％
キャンデリラロウ（キャンデリラワックス、加藤洋行）      ７．０重量％
カルナウバロウ（カルナバワックス１号、加藤洋行）        ２．０重量％
＜油脂類＞
ひまし油（ひまし油、吉原製油）                        ３２．９重量％
ラノリン（ラノリン、クローダージャパン）                ４．０重量％
＜ワックス類または油脂類の誘導体＞
ヘキサデシルアルコール（NIKKOL脱臭セタノール、日光ケミカルズ）３０．０重量％
＜その他＞
香料                                                    ０．１重量％
このようにして得られたリップクリームを、睡眠時無呼吸症の男性に比較対照物と共に提供し、一晩使用後の使用感および口呼吸の防止効果につきモニタリングを行った。
【００２８】
なお、比較対照物としては、市販のバンソウコウを用い、このバンソウコウを唇の両端に逆八の字を描くようにして２枚貼着した状態で使用させた。
その結果、比較対照物のバンソウコウが就寝中にはがれてしまったのに対し、本実施例のリップクリームを用いた場合には、睡眠時無呼吸症に特有の深刻なイビキが軽減され、使用感も良好であったとの回答を示した。